(57)【要約】      （修正有）【課題】軽量で、かつ看板設置位置の制約が少なく、確実な固定が可能な立看板の固定具を提供する。  【解決手段】  伸縮調整可能とした棒状本体１の上端に立看板の一部へ係止される係止片３２を設けるとともに、棒状本体１の下端に、側溝のブロック蓋の隙間に係止される係止片を設ける。棒状本体１を、上方に位置する棒体３、下方に位置する棒体２、およびこれらを連結する環状連結部材４で構成し、棒体３の下端に形成したネジ部３１を連結部材４の上端に形成したネジ孔に結合するとともに、棒体２の上端に形成したネジ部２１を、連結部材４の下端に形成されてネジ孔とは逆方向の螺旋状とされたネジ孔に結合し、棒体３の上端に上記係止片３２を設けるとともに、棒体２の下端に上記係止片２２を設け、連結部材４を回転操作することによって棒体３および棒体２を当該連結部材４から進出ないし退入させて棒状本体１を伸縮調整可能とする。【選択図】図４
2008051853.tif 000002
【特許請求の範囲】
【請求項１】
伸縮調整可能とした棒状本体の上端に立看板の一部へ結合される第１結合部を設けるとともに、前記棒状本体の下端に、側溝蓋の開口部に係止される第２結合部を設けた立看板の固定具。
【請求項２】
前記棒状本体を、上方に位置する第１棒体、下方に位置する第２棒体、およびこれらを連結する連結部材で構成し、前記第１棒体の下端に形成したネジ部を前記連結部材の上端に形成した第１ネジ部に結合するとともに、前記第２棒体の上端に形成したネジ部を、前記連結部材の下端に形成されて前記第１ネジ部とは逆方向の螺旋状とされた第２ネジ部に結合し、前記第１棒体の上端に前記第１結合部を設けるとともに、前記第２棒体の下端に前記第２結合部を設け、前記連結部材を回転操作することによって第１棒体および第２棒体を当該連結部材から進出ないし退入させて前記棒状本体を伸縮調整可能とした請求項１に記載の立看板の固定具。
【請求項３】
板状の看板部と、傾斜させた看板部の背後を逆方向から傾斜支持する脚部とからなる立看板の固定構造であって、伸縮調整可能とした固定具の棒状本体の上端を看板部および／または脚部の一部に結合するとともに、前記棒状本体の下端を側溝蓋の開口部に係止した立看板の固定構造。
【発明の詳細な説明】
【技術分野】
【０００１】
本発明は立看板が風等によって倒れないように保持する立看板の固定具に関し、特に道路工事用立看板に好適に使用できる固定具に関する。
【背景技術】
【０００２】
この種の固定具としては、例えば特許文献１に示されるような引掛金具を設けた重石や、あるいは特許文献２に示されるような、立看板の左右縦枠に両端を係止して、電柱等に巻き付けられるベルトを有するものがある。
【特許文献１】特開２００３−２７４３６号
【特許文献２】実用新案登録第３０７４７８５号
【発明の開示】
【発明が解決しようとする課題】
【０００３】
しかし、上記従来の重石のようなものでは、強風等によって立看板が倒れてしまうおそれがあるとともに、これを回避し確実な固定を実現しようとすると重石の重量が過大となって搬送や保管等に難渋するという問題があった。一方、上記従来のベルトを使用したものでは軽量かつ確実な固定が可能ではあるが、近くに電柱等が存在しない場合には使用できず、特に道路工事用の立看板は設置位置が決められる場合が多いため、事実上使用できないという問題があった。
【０００４】
そこで、本発明はこのような課題を解決するもので、軽量で、かつ看板設置位置の制約が少なく、確実な固定が可能な立看板の固定具を提供することを目的とする。
【課題を解決するための手段】
【０００５】
上記目的を達成するために、本第１発明の立看板の固定具では、伸縮調整可能とした棒状本体（１）の上端に立看板（Ｓ）の一部へ結合される第１結合部（３２）を設けるとともに、棒状本体（１）の下端に、側溝蓋（Ｃ，Ｇ）の開口部（Ｃ１，Ｇ１）に係止される第２結合部（２２）を設ける。
【０００６】
本第１発明においては、固定具は棒状で軽量であり、かつ立看板を側溝蓋に確実かつ強力に固定することができる。この際、固定具は側溝蓋の開口部に係止することができるから、設置位置の制約も少ない。
【０００７】
本第２発明の立看板の固定具では、上記棒状本体（１）を、上方に位置する第１棒体（３）、下方に位置する第２棒体（２）、およびこれらを連結する連結部材（４）で構成し、第１棒体（３）の下端に形成したネジ部（３１）を連結部材（４）の上端に形成した第１ネジ部（４１）に結合するとともに、第２棒体（２）の上端に形成したネジ部（２１）を、連結部材（４）の下端に形成されて第１ネジ部（４１）とは逆方向の螺旋状とされた第２ネジ部（４２）に結合し、第１棒体（３）の上端に上記第１結合部（３２）を設けるとともに、第２棒体（２）の下端に上記第２結合部（２２）を設け、連結部材（４）を回転操作することによって第１棒体（３）および第２棒体（２）を当該連結部材（４）から進出ないし退入させて棒状本体（１）を伸縮調整可能とする。本第２発明においては、棒状本体の伸縮調整を簡易な構造で実現することができる。
【０００８】
本第３発明の立看板の固定構造では、板状の看板部（６）と、傾斜させた看板部（６）の背後を逆方向から傾斜支持する脚部（７）とからなる立看板（Ｓ）の固定構造であって、伸縮調整可能とした固定具（Ｅ）の棒状本体（１）の上端を看板部（６）および／または脚部（７）の一部に結合するとともに、棒状本体（１）の下端を側溝蓋（Ｃ，Ｇ）の開口部（Ｃ１，Ｇ１）に係止する。本第３発明においても、本第１発明と同様の作用効果が得られる。
【０００９】
なお、上記カッコ内の符号は、後述する実施形態に記載の具体的手段との対応関係を示すものである。
【発明の効果】
【００１０】
以上のように、本発明の立看板の固定具は、軽量で、かつ看板設置位置の制約が少なく、確実な固定が可能である。
【発明を実施するための最良の形態】
【００１１】
図１には固定具の全体斜視図を示す。図１において、固定具Ｅは棒状の本体１を有し、当該本体１は、その大部分を占める長尺の金属製円形棒体２と、短尺の金属製円形棒体３、およびこれらを連結する金属製連結部材４で構成されている。連結部材４は環状長円形ののもので、その両端部には長手方向へ内外を貫通するネジ孔４１，４２が設けられて、各ネジ孔４１，４２の内周に雌ネジが形成されている。そして、これら雌ネジは互いに逆方向の螺旋状に形成されている。
【００１２】
上記棒体２には上端外周に雄ネジ部２１が形成されてこれが連結部材４の下端ネジ孔４２内に螺入させてある。棒体２の下端には係止片２２が形成されており、当該係止片２２は矩形の板状となっている。一方、棒体３には下端外周に雄ネジ部３１が形成されてこれが連結部材４の上端ネジ孔４１内に螺入させてあり、棒体３の上端には係止片３２が形成されている。係止片３２は帯状の金属板を円弧状に湾曲させたものである。
【００１３】
このような固定具Ｅは、両端の係止片２２，３２を静止させた状態で、連結部材４をその長軸回りに正逆回転させると、棒体２，３がそれぞれ連結部材４内から進出し、あるいは棒体２，３がそれぞれ連結部材４内に退入して、本体１が伸縮し、両端の係止片２２，３３間の間隔が大小変更される。
【００１４】
図２〜図４には上述の固定具Ｅを使用して立看板Ｓを固定した状態を示す。立看板Ｓは本実施形態では逆Ｕ字形のパイプ部材６１で縁取られた板状の看板部６と、逆Ｕ字形のパイプ部材７１で構成された脚部７とからなり、脚部７は上端７２が、看板部６の背面上部の横枠６２に回動可能に結合されている。看板部６の下部の横枠６３と脚部７の下部の横枠７３とは折り畳み可能な桟部材８で連結されている。脚部７は桟部材８を展開させることにより、傾斜させた看板部６の背後を逆方向から傾斜支持して、当該看板部６を側面視で略三角の自立状態に保持する（図４）。
【００１５】
立看板Ｓは本実施形態では、５０ｍ先の工事中を示すもので、実際の工事現場から略５０ｍの所に設置される必要がある。そこで、本実施形態では図２に示すように立看板Ｓを道路側溝に覆着されたコンクリートのブロック蓋Ｃの上に置く。隣接するブロック蓋Ｃの間には、当該蓋Ｃを引き起こすための開口部たる隙間Ｃ１が形成されている。そこで、下側に位置させた棒体２の下端の板状係止片２２（図１）を上記隙間Ｃ１からブロック蓋Ｃ下方へ挿入して、９０度旋回させることによってブロック蓋Ｃ下面に係止させる。
【００１６】
この状態で棒体３の上端の係止片３２を掴んで静止させた状態で連結部材４を回転させて、固定具本体１の長さを調整し、円弧状に湾曲する上記係止片３２を、図３、図４に示すように脚部７の上端７２と看板部６の横枠６２に係止する。そしてこの状態で固定具本体１の長さを短くする方向へ連結部材４を回転させる。これにより、固定具Ｅの張力で立看板Ｓは、側面視で略三角の頂点が下方へ引っ張られて固定された状態になる。なお、ブロック蓋Ｃでなく、側溝上にグレーチングＧが設けられている場合には、図５に示すように、固定具Ｅの係止部２２（図２）をグレーチングＧの開口部たる枠空間Ｇ１から下方へ挿入して枠部Ｇ２に係止することにより、同様に立看板Ｓを固定することができる。
【００１７】
このように、本実施形態によれば、金属棒状の軽量な固定具Ｅを使用して立看板Ｓを強力に固定することができる。この際、固定具Ｅは側溝の蓋ＣやグレーチングＧに係止することができるから、立看板Ｓの設置位置の制約が少ない。なお、立看板Ｓは特に上述した構造のものに限られない。また、立看板Ｓに固定具Ｅの上端が結合されて看板と一体化されたものも本発明の範囲に含まれる。
【図面の簡単な説明】
【００１８】
【図１】本発明の一実施形態を示す固定具の全体斜視図である
【図２】固定具で固定された立看板の前方斜視図である。
【図３】固定具で固定された立看板の後方斜視図である。
【図４】固定具で固定された立看板の側方斜視図である。
【図５】固定具で固定された立看板の側方斜視図である。
【符号の説明】
【００１９】
１…棒状本体、２…棒体（第２棒体）、２１…雄ネジ部、２２…係止片（第２結合部）、３…棒体（第１棒体）、３１…雄ネジ部、３２…係止片（第１結合部）、４…連結部材、４１…ネジ孔（第１ネジ部）、４２…ネジ孔（第２ネジ部）、６…看板部、７…脚部、Ｃ…ブロック蓋（側溝蓋）、Ｃ１…隙間（開口部）、Ｅ…固定具、Ｇ…グレーチング（側溝蓋）、Ｇ１…枠空間（開口部）、Ｓ…立看板。
【図１】
2008051853.tif 000003
【図２】
2008051853.tif 000004
【図３】
2008051853.tif 000005
【図４】
2008051853.tif 000006
【図５】
2008051853.tif 000007